(57)【要約】【課題】  簡単な構造で、取付作業性が良く、且つ不用意に脱落することのないバンドおよびそれを備えた時計を提供する。【解決手段】  バンド本体１３の端部に取り付けられて取付孔１８が設けられたバンド連結駒１４と、取付孔１８に挿入されたパイプ部２０内をスライドする一対のスライド部２２が第１、第２レバー部２３、２４を備えてパイプ部２０の両側から出没可能に突出して腕時計ケース１に取り付けられる連結部材１５と、を備え、バンド連結駒１４に、第１、第２レバー部２３、２４を予め定められた第１、第２位置に係脱可能に保持する第１、第２溝２６、２７を設けた。従って、第１、第２レバー部２３、２４を第１、第２溝２６、２７に保持させることができるので、一対のスライド部２２がパイプ部２０内をスライド可能に配置されていても、これら第１、第２位置に保持させることができる。【選択図】        図３
2020168218.tif 000002
【特許請求の範囲】
【請求項１】
バンド本体と、
前記バンド本体の端部に取り付けられて取付孔が設けられたバンド連結部と、
前記取付孔に挿入された筒状部内をスライドするスライド部がレバー部を備えて前記筒状部の端部から出没可能に突出してケースに取り付けられる連結部材と、
を備え、
前記バンド連結部には、前記レバー部を係脱可能に保持する保持溝が設けられていることを特徴とするバンド。
【請求項２】
請求項１に記載のバンドにおいて、前記保持溝は、前記スライド部の外端部が前記筒状部の内部に押し込まれたときに、前記レバー部が前記スライド部を中心に回転して挿入されることにより、前記レバー部を係脱可能に保持することを特徴とするバンド。
【請求項３】
請求項２に記載のバンドにおいて、前記保持溝は、前記レバー部が挿入された際に、前記レバー部の少なくとも一部を保持することを特徴とするバンド。
【請求項４】
請求項１に記載のバンドにおいて、前記保持溝は、前記スライド部の外端部が前記筒状部の内部から押し出されたときに、前記レバー部が前記スライド部を中心に回転して収納されることにより、前記レバー部を係脱可能に保持することを特徴とするバンド。
【請求項５】
請求項４に記載のバンドにおいて、前記保持溝は、前記レバー部が収納された際に、前記レバー部が露出する状態で、前記レバー部の全体を収納して保持することを特徴とするバンド。
【請求項６】
請求項４または請求項５に記載のバンドにおいて、前記保持溝は、前記レバー部が収納された際に、前記レバー部を係脱可能に係止する係止突起部を備えていることを特徴とするバンド。
【請求項７】
請求項１に記載のバンドにおいて、前記保持溝は、前記スライド部の外端部が前記筒状部の内部に押し込まれたときに前記レバー部を保持する第１溝と、前記スライド部の外端部が前記筒状部の内部から押し出されたときに前記レバー部を収納して保持する第２溝と、を備えていることを特徴とするバンド。
【請求項８】
請求項１〜請求項７のいずれかに記載のバンドにおいて、前記連結部材は、前記筒状部の両側に前記スライド部がそれぞれ設けられ、前記スライド部それぞれに前記レバー部が設けられており、前記バンド連結部は、前記保持溝が前記連結部材の前記筒状部の両側に対応してそれぞれ設けられていることを特徴とするバンド。
【請求項９】
請求項１〜請求項８のいずれかに記載されたバンドを備えていることを特徴とする時計。
【発明の詳細な説明】
【技術分野】
【０００１】
この発明は、腕時計、洋服、鞄、バッグなどに用いられるバンドおよびそれを備えた時計に関する。
【背景技術】
【０００２】
例えば、腕時計のバンドにおいては、特許文献１に記載されているように、腕時計ケースのバンド取付部にプッシュ釦とカム筒とを設け、プッシュ釦をプッシュ操作してカム筒を回転させた状態で、バンド本体の端部に設けられた連結ピンの端部をカム筒に取り付けることにより、バンド本体を腕時計ケースのバンド取付部に取り付けるように構成されたものが知られている。
【先行技術文献】
【特許文献】
【０００３】
【特許文献１】特開平０７−３０３５０６号公報
【０００４】
すなわち、この種のバンドは、プッシュ釦をプッシュ操作してカム筒を回転させた際に、カム筒に設けられた切欠き部をバンド取付部の切欠き部に対応させて露出させ、この露出した各切欠き部からバンド本体の端部に設けられた連結ピンの端部をカム筒内に挿入させ、この状態でプッシュ釦が元に位置に戻ると、カム筒が回転してカム筒の切欠き部がバンド取付部によって隠されることにより、連結ピンの端部がカム筒内から離脱しないように構成されている。
【発明の概要】
【発明が解決しようとする課題】
【０００５】
しかしながら、このような腕時計のバンドでは、プッシュ釦をプッシュ操作してカム筒を回転させた状態で、バンド本体の端部に設けられた連結ピンをカム筒に取り付ける構造であるから、構造が複雑であるばかりか、プッシュ釦をプッシュ操作した状態で連結ピンの端部をカム筒内に挿入させなければならないため、取付作業が面倒である。
【０００６】
また、この腕時計のバンドでは、腕に取り付けた状態のときに、プッシュボタンが外部に露出しているので、プッシュ釦が不用意に押されると、連結ピンの端部がカム筒内から離脱してバンド本体が腕時計ケースのバンド取付部から脱落するという問題もある。
【０００７】
この発明が解決しようとする課題は、簡単な構造で、取付作業性が良く、且つ不用意に脱落することのないバンドおよびそれを備えた時計を提供することである。
【課題を解決するための手段】
【０００８】
この発明は、バンド本体と、前記バンド本体の端部に取り付けられて取付孔が設けられたバンド連結部と、前記取付孔に挿入された筒状部内をスライドするスライド部がレバー部を備えて前記筒状部の端部から出没可能に突出してケースに取り付けられる連結部材と、を備え、前記バンド連結部には、前記レバー部を係脱可能に保持する保持溝が設けられていることを特徴とするバンドである。
【発明の効果】
【０００９】
この発明によれば、簡単な構造で、取付作業性が良く、且つ不用意に脱落しないようにすることができる。
【図面の簡単な説明】
【００１０】
【図１】この発明を腕時計に適用した一実施形態を示した拡大正面図である。
【図２】図１に示された腕時計のＡ−Ａ矢視における要部を示した拡大断面図である。
【図３】図２に示された腕時計のケース本体とバンド連結駒とを示し、（ａ）はそれらを１２時側の斜め下側から見た拡大斜視図、（ｂ）はそれらを９時側の斜め下側から見た拡大斜視図である。
【図４】図３に示されたバンド連結駒をケース本体のバンド取付部から取り外した状態を示した分解斜視図である。
【図５】図４に示されたバンド連結駒をケース本体のバンド取付部に取り付ける状態を示した分解斜視図である。
【図６】図４に示された連結部材を示した拡大斜視図である。
【図７】図６に示された連結部材を示し、（ａ）はその拡大平面図、（ｂ）は（ａ）のＢ−Ｂ矢視における拡大断面図である
【図８】図４に示されたバンド連結駒を示した拡大斜視図である。
【図９】図８に示されたバンド連結駒を示し、（ａ）はそれを斜め下側から見た拡大裏面図、（ｂ）はそれを真下から見た拡大正面図である。
【図１０】図９（ｂ）に示されたバンド連結駒の変形例を示し、（ａ）は第１変形例を示した拡大裏面図、（ｂ）は第２変形例を示した拡大裏面図である。
【発明を実施するための形態】
【００１１】
以下、図１〜図９を参照して、この発明を腕時計に適用した一実施形態について説明する。
この腕時計は、図１に示すように、腕時計ケース１を備えている。この腕時計ケース１の１２時側と６時側とには、時計バンド２が取り付けられるバンド取付部３がそれぞれ設けられている。また、この腕時計ケース１の２時側、３時側、４時側、６時側、８時側および１０時側には、押釦スイッチ４がそれぞれ設けられている。
【００１２】
この腕時計ケース１の上部開口部には、図２に示すように、時計ガラス５がパッキン５ａを介して取り付けられている。この時計ガラス５の下側に位置する腕時計ケース１の内部には、見切り部材６が設けられている。また、この腕時計ケース１の下部には、裏蓋７が防水リング７ａを介して取り付けられている。
【００１３】
この腕時計ケース１の内部には、図２に示すように、時計モジュール８が設けられている。この時計モジュール８は、図示しないが、指針を運針させる時計ムーブメント、時刻などの情報を電気光学的に表示する表示パネル、これらを電気的に駆動する回路部などの時計機能に必要な各種の部品を備えている。
【００１４】
この場合、腕時計ケース１は、図１および図２に示すように、ケース本体１０と外装ケース１１とを備えている。ケース本体１０は、金属または硬質の合成樹脂、例えばポリアミド樹脂にガラス繊維またはカーボン繊維を混入させた剛性の高い硬質の合成樹脂によって形成されている。このケース本体１０は、ほぼ円筒状に形成され、その内部に金属製の補強部１０ａが埋め込まれている。
【００１５】
また、このケース本体１０の外周部における１２時側と６時側とには、図１および図２に示すように、バンド取付部３の一対の取付突起部３ａがそれぞれ設けられている。外装ケース１１は、ケース本体１０の上部外周にこれを覆って取り付けられるように構成されている。すなわち、この外装ケース１１は、ほぼリング状に形成され、ケース本体１０の上部外周に複数のねじ部材１２によって取り付けられている。
【００１６】
ところで、時計バンド２は、図１および図３に示すように、バンド本体１３がバンド連結部であるバンド連結駒１４によってケース本体１０に設けられたバンド取付部３の一対の取付突起部３ａに取り付けられるように構成されている。すなわち、バンド連結駒１４は、金属または合成樹脂によって形成され、ケース本体１０の一対の取付突起部３ａに連結部材１５によって取り付けられると共に、バンド本体１３の端部にピン部材１６によって取り付けられるように構成されている。また、バンド本体は、金属（例えば複数のバンド駒が連結）または合成樹脂によって形成されている。
【００１７】
この場合、バンド連結駒１４は、図３〜図５に示すように、ケース本体１０の一対の取付突起部３ａ間に配置されて取り付けられる幅広部１４ａと、ケース本体１０の一対の取付突起部３ａ間から突出してバンド本体１３の端部に配置されて取り付けられる幅狭部１４ｂと、を備えている。これにより、バンド連結駒１４は、幅広部１４ａと幅狭部１４ｂとによってバンド本体１３をケース本体１０の一対の取付突起部３ａに取り付けるように構成されている。
【００１８】
すなわち、バンド連結駒１４の幅狭部１４ｂには、図３〜図５に示すように、ばね棒であるピン部材１６が挿入するピン挿入孔１７がバンド本体１３の長手方向と直交する短手方向に貫通して設けられている。これにより、バンド連結駒１４の幅狭部１４ｂは、ピン挿入孔１７にピン部材１６が挿入されてピン部材１６の両端が押し込まれた状態でバンド本体１３の端部に配置された際に、ピン部材１６の両端部が押し出されてバンド本体１３の端部における両側部に挿入されて、バンド本体１３の端部に取り付けられるように構成されている。
【００１９】
一方、バンド連結駒１４の幅広部１４ａは、図３〜図５に示すように、その厚みが一対の取付突起部３ａとほぼ同じ大きさで、その形状が一対の取付突起部３ａ間の形状とほぼ同じ形状に形成されている。この幅広部１４ａには、連結部材１５が挿入する取付孔１８が、バンド本体１３の長手方向と直交する短手方向に貫通した状態で、幅狭部１４ｂのピン挿入孔１７と平行に設けられている。
【００２０】
この取付孔１８は、図３〜図５に示すように、その両端部がケース本体１０の一対の取付突起部３ａに互いに対応して設けられた一対の固定穴３ｂに同一軸上に対応するように設けられている。また、この取付孔１８の両側部には、幅狭部１４ｂの両端よりも少し食い込んだ長さで裏面側に開放された開放部１８ａがそれぞれ設けられている。
【００２１】
連結部材１５は、図３〜図７に示すように、ばね棒であり、筒状部であるパイプ部２０と、このパイプ部２０内に配置されたばね部材２１と、パイプ部２０内における両側にスライド可能に配置された一対のスライド部２２と、これら一対のスライド部２２をパイプ部２０の軸方向にそれぞれスライドさせるための第１、第２レバー部２３、２４と、を備えている。これにより、連結部材１５は、一対のスライド部２２がばね部材２１のばね力によってパイプ部２０の両側から外部に押し出されるように構成されている。
【００２２】
この場合、パイプ部２０は、図６および図８に示すように、その外径がバンド連結駒１４の幅広部１４ａに設けられた取付孔１８の内径と同じ大きさで、軸方向の長さが幅広部１４ａの取付孔１８と同じか、それよりも少し短い長さで形成されている。このパイプ部２０は、バンド連結駒１４の取付孔１８に挿入された際に、両側部が取付孔１８の両側に設けられた開放部１８ａから裏面側に露出するように構成されている。
【００２３】
ばね部材２１は、図７（ｂ）に示すように、コイルばねであり、その外径がパイプ部２０の内径よりも少し小さく形成され、伸縮方向の長さ、つまり軸方向の長さがバンド連結駒１４の幅狭部１４ｂのピン挿入孔１７とほぼ同じ長さに形成されている。これにより、ばね部材２１は、両端部が一対のスライド部２２の各内端部に弾接して一対のスライド部２２をパイプ部２０の内部から外部に向けて押し出す方向に付勢するように構成されている。
【００２４】
一対のスライド部２２それぞれは、図６および図７に示すように、大径のスライド本体２２ａと小径の突出部２２ｂとを備えている。スライド本体２２ａは、パイプ部２０の内部にスライド可能に配置されている。このスライド本体２２ａは、その外径がパイプ部２０の内径よりも少し小さく形成され、軸方向の長さがバンド連結駒１４の幅広部１４ａにおける取付孔１８の両側に設けられた開放部１８ａの長さとほぼ同じ長さに形成されている。
【００２５】
このスライド本体２２ａは、図７（ｂ）に示すように、パイプ部２０内の両側にそれぞれ配置されてばね部材２１によって押し出される方向に付勢された際に、外部側の端部の縁部がパイプ部２０の両端に設けられた抜止め部２０ａに当接してパイプ部２０の外部に抜け出さないように構成されている。
【００２６】
スライド部２２の突出部２２ｂは、図６および図７に示すように、一対のスライド本体２２ａの外端部にそれぞれ一体に設けられている。この突出部２２ｂは、パイプ部２０の両側の端部からパイプ部２０の外部に出没可能に突出して、バンド取付部３の一対の取付突起部に３ａに設けられた一対の固定穴３ｂにそれぞれ挿入するように構成されている。すなわち、この突出部２２ｂは、その外径がスライド本体２２ａの外径よりも小さく、且つ一対の取付突起部３ａの各固定穴３ｂの内径とほぼ同じ大きさに形成されている。
【００２７】
また、この突出部２２ｂは、図４〜図７に示すように、その軸方向の長さがスライド本体２２ａの長さの約１/３の長さで、一対の取付突起部３ａにおける固定穴３ｂの軸方向の長さ（深さ）とほぼ同じ長さに形成される。これにより、突出部２２ｂは、ばね部材２１のばね力によってスライド本体２２ａが押された際に、パイプ部２０の外部に押し出され、またばね部材２１のばね力に抗して押し出された際に、パイプ部２０の内部に押し込まれるように構成されている。
【００２８】
ところで、一対のスライド部２２の各スライド本体２２ａには、図６および図７に示すように、第１、第２レバー部２３、２４がそれぞれ取り付けられている。これら第１、第２レバー部２３、２４は、一対のスライド部２２をそれぞれパイプ部２０の内部においてその軸方向にスライドさせるためのものである。
【００２９】
すなわち、これら第１、第２レバー部２３、２４のうち、パイプ部２０の右側に位置する第１レバー部２３は、図６および図７に示すように、ほぼ球形状の第１頭部２３ａと第１軸部２３ｂとを備え、第１軸部２３ｂがパイプ部２０の右側に設けられた開口孔２５を通して右側のスライド本体２２ａに取り付けられるように構成されている。
【００３０】
この第１レバー部２３は、図６および図７に示すように、第１軸部２３ｂにねじ部２３ｃが設けられ、このねじ部２３ｃがパイプ部２０の右側の開口孔２５を通して右側のスライド本体２２ａに設けられたねじ穴２２ｃに螺合することにより、スライド本体２２ａに取り付けられている。この第１レバー部２３は、ほぼ球形状の第１頭部２３ａにドライバーなどの工具が挿入する溝部２３ｄが設けられている。
【００３１】
同様に、パイプ部２０の左側に位置する第２レバー部２４は、図６および図７に示すように、第１レバー部２３と同様、ほぼ球形状の第２頭部２４ａと第２軸部２４ｂとを備え、第２軸部２４ｂがパイプ部２０の左側に設けられた開口孔２５を通して左側のスライド本体２２ａに取り付けられるように構成されている。
【００３２】
すなわち、この第２レバー部２４は、図６および図７に示すように、第２軸部２４ｂの下端部がパイプ部２０の左側の開口孔２５を通して左側のスライド本体２２ａに溶接や固着などによって固定されている。このため、この第２レバー部２４の第２頭部２３ａには、ドライバーなどの工具が挿入する溝部が設けられていない。なお、第２レバー部２４は、必ずしもスライド本体２２ａに溶接や固着などによって固定されている必要はなく、第１レバー部２３と同じねじ止め構造であっても良い。
【００３３】
この場合、パイプ部２０の両側に設けられた各開口孔２５は、図４〜図７に示すように、バンド連結駒１４に設けられた取付孔１８の両側を開放させる開放部１８ａに対応するパイプ部２０の両側にそれぞれ設けられている。これら各開口孔２５は、それぞれパイプ部２０の軸方向に沿って長い長孔に形成されている。すなわち、これら各開口孔２５それぞれは、スライド部２２のスライド長さ、つまりスライド部２２の突出部２２ｂにおける軸方向の長さと同じか、それよりも少し長く形成されている。
【００３４】
また、これら各開口孔２５は、図４〜図７に示すように、一対のスライド部２２の各突出部２２ｂがばね部材２１のばね力によってパイプ部２０の外部にそれぞれ押し出されて、一対のスライド本体２２ａの各外端部の縁部がパイプ部２０の両端部に設けられた抜止め部２０ａに当接した状態のときに、第１、第２レバー部２３、２４の第１、第２軸部２３ｂ、２４ｂがパイプ部２０の両端側に位置する各外端部にそれぞれ接近して配置されるように形成されている。
【００３５】
また、これら各開口孔２５は、図４〜図７に示すように、一対のスライド部２２の各突出部２２ｂがばね部材２１のばね力に抗してパイプ部２０の内部にそれぞれ押し込まれた状態のときに、第１、第２レバー部２３、２４の第１、第２軸部２３ｂ、２４ｂがパイプ部２０の軸方向における中間部側に位置する各内端部にそれぞれ接近または当接して配置されるように形成されている。
【００３６】
また、これら各開口孔２５は、図６および図７に示すように、パイプ部２０の円周方向の長さが、第１、第２レバー部２３、２４の第１、第２軸部２３ｂ、２４ｂの各外径と同じか、それよりも大きく形成されている。すなわち、各開口孔２５は、パイプ部２０の円周方向の長さが、第１、第２レバー部２３、２４の第１、第２軸部２３ｂ、２４ｂの各外径と同じであっても良いが、第１、第２レバー部２３、２４がスライド部２２の中心軸を中心に約９０°の角度回転するように、パイプ部２０の円周方向の長さが長く形成されていることが望ましい。
【００３７】
ところで、バンド連結駒１４には、図４〜図９に示すように、一対のスライド部２２の各突出部２２ｂがパイプ部２０の内部にそれぞれ押し込まれたときに第１、第２レバー部２３、２４をそれぞれ保持する保持溝である一対の第１溝２６と、一対のスライド部２２の各突出部２２ｂがそれぞれパイプ部２０の内部から押し出されたときに第１、第２レバー部２３、２４をそれぞれ保持する保持溝である一対の第２溝２７と、を備えている。
【００３８】
一対の第１溝２６は、図４〜図９に示すように、一対のスライド部２２の各突出部２２ｂがそれぞれパイプ部２０の内部に押し込まれたときに、第１、第２レバー部２３、２４がそれぞれスライド部２２の中心軸を中心に回転して挿入されるように形成されている。すなわち、一対の第１溝２６は、パイプ部２０の両側に設けられた各開口孔２５の内端部に対応するバンド連結駒１４の箇所に、バンド連結駒１４の両側部に設けられた開放部１８ａに対応する取付孔１８からパイプ部２０の軸方向と直交する方向に向けて延びる長孔形状に形成されている。
【００３９】
この場合、一対の第１溝２６は、図４〜図９に示すように、パイプ部２０の軸方向と直交する方向の長さが第１、第２レバー部２３、２４の各長さよりも短い長さ、例えば第１、第２レバー部２３、２４の第１、第２軸部２３ｂ、２４ｂの長さとほぼ同じ長さに形成されている。これにより、一対の第１溝２６は、一対のスライド部２２の中心軸を中心に回転して挿入された際に、第１、第２レバー部２３、２４の第１、第２軸部２３ｂ、２４ｂを一時的に係脱可能に保持するように構成されている。
【００４０】
一方、一対の第２溝２７は、図４〜図９に示すように、一対のスライド部２２の各突出部２２ｂがそれぞれパイプ部２０の内部から押し出されたときに、第１、第２レバー部２３、２４がそれぞれ一対のスライド部２２の中心軸を中心に回転して収納されるように形成されている。すなわち、一対の第２溝２７は、パイプ部２０の両側に設けられた各開口孔２５の外端部に対応するバンド連結駒１４の箇所に、バンド連結駒１４の両側部に設けられた開放部１８ａに対応する取付孔１８からパイプ部２０の軸方向と直交する方向に向けて延びる長孔形状に形成されている。
【００４１】
この場合、一対の第２溝２７は、図４〜図９に示すように、パイプ部２０の軸方向と直交する方向の長さが第１、第２レバー部２３、２４の各全長とほぼ同じ長さで形成されている。これにより、一対の第２溝２７は、一対のスライド部２２の中心軸を中心に回転して収納された際に、第１、第２レバー部２３、２４の第１、第２頭部２３ａ、２４ａおよび第１、第２軸部２３ｂ、２４ｂを収納して保持するように構成されている。
【００４２】
すなわち、一対の第２溝２７は、図４〜図９に示すように、第１、第２レバー部２３、２４の第１、第２頭部２３ａ、２４ａおよび第１、第２軸部２３ｂ、２４ｂが収納されるように、深さが第１溝２６よりも深く形成されている。この場合、一対の第２溝２７は、第１、第２レバー部２３、２４の第１、第２頭部２３ａ、２４ａおよび第１、第２軸部２３ｂ、２４ｂが収納された際に、第１、第２頭部２３ａ、２４ａを第２溝２７内から取り出し易くするために、第１、第２頭部２３ａ、２４ａを露出させた状態で収納するように構成されている。
【００４３】
また、これら一対の第２溝２７内の上部には、図９（ａ）および図９（ｂ）に示すように、第１、第２レバー部２３、２４が収納された際に、第１、第２レバー部２３、２４を係脱可能に係止する半球状の一対の係止突起部２７ａがそれぞれ設けられている。すなわち、一対の係止突起部２７ａは、一対の第２溝２７内の両側面に対向して設けられている。
【００４４】
これにより、一対の係止突起部２７ａは、図９（ａ）および図９（ｂ）に示すように、第１、第２レバー部２３、２４が一対の第２溝２７内にそれぞれ収納される際に、第１、第２レバー部２３、２４の第１、第２軸部２３ｂ、２４ｂが乗り越えることにより、第１、第２レバー部２３、２４の第１、第２軸部２３ｂ、２４ｂを係脱可能に係止するように構成されている。
【００４５】
次に、このような腕時計の時計バンド２の作用について説明する。
この場合には、予め、腕時計ケース１を組み立てて腕時計を組み立てる。すなわち、腕時計ケース１を組み立てる場合には、ケース本体１０内の上部に見切り部材６を取り付けた後、ケース本体１０の上部開口部に時計ガラス５をパッキン５ａと共に取り付ける。
【００４６】
この状態で、ケース本体１０の上部外周に外装ケース１１をねじ部材１２によって取り付ける。これにより腕時計ケース１が組み立てられる。この状態で、腕時計ケース１内に時計モジュール８を取り付けて、ケース本体１０の外周に押釦スイッチ４を取り付ける。この後、ケース本体１０の下部に裏蓋７を防水リング７ａと共に取り付ける。これにより腕時計が組み立てられる。
【００４７】
そして、腕時計ケース１に時計バンド２を取り付ける場合には、まず、バンド本体１３の端部にバンド連結駒１４をばね棒であるピン部材１６によって取り付ける。すなわち、バンド連結駒１４の幅狭部１４ｂに設けられたピン挿入孔１７にピン部材１６を挿入させ、このピン部材１６の両端部を押し込む。この状態で、バンド連結駒１４の幅狭部１４ｂをバンド本体１３の端部内に配置させて、バンド本体１３の端部にピン部材１６の両端部を挿入させる。これにより、バンド本体１３の端部にバンド連結駒１４がピン部材１６によって取り付けられる。
【００４８】
この状態で、時計バンド２をバンド連結駒１４によって腕時計ケース１に取り付ける。このときには、予め、連結部材１５を組み立て、この連結部材１５をバンド連結駒１４の幅広部１４ａに取り付ける。すなわち、連結部材１５を組み立てる場合には、まず、パイプ部２０の内部にばね部材２１を挿入させ、この状態でパイプ部２０内の両側に一対のスライド部２２をそれぞれ挿入させる。
【００４９】
そして、一対のスライド部２２の各突出部２２ｂをばね部材２１のばね力に抗してパイプ部２０の内部に押し込んだ状態で、パイプ部２０の両端部をカシメ加工して、パイプ部２０の両端部に抜止め部２０ａをそれぞれ形成する。これにより、パイプ部２０内に配置された一対のスライド本体２２ａがばね部材２１のばね力によって押し出される方向に付勢されても、一対のスライド本体２２ａの外端部の縁部が抜止め部２０ａに当接して、一対のスライド本体２２ａがパイプ部２０内から抜け出さないように配置される。
【００５０】
この状態で、第１、第２レバー部２３、２４のうち、右側の第１レバー部２３を右側のスライド部２２に取り付けずに、左側の第２レバー部２４を左側のスライド部２２のみに取り付ける。このときには、パイプ部２０の両側部に設けられた各開口孔２５のうち、例えば左側の開口孔２５を通して第２レバー部２４の第２軸部２４ｂをスライド本体２２ａに溶接や溶着によって固定する。
【００５１】
そして、第２レバー部２４が取り付けられたパイプ部２０をバンド連結駒１４の幅広部１４ａに設けられた取付孔１８に挿入させる。このときには、第１レバー部２３が取り付けられていないパイプ部２０の端部側からパイプ部２０をバンド連結駒１４の取付孔１８に挿入させて、パイプ部２０の両側に設けられた各開口孔２５を取付孔１８の両側の開放部１８ａにそれぞれ対応させて配置させる。
【００５２】
この状態では、パイプ部２０の左側に位置するスライド部２２に取り付けられた第２レバー部２４がバンド連結駒１４の取付孔１８における左側の開放部１８ａに配置される。この状態で、第１レバー部２３を右側のスライド部２２に取り付ける。このときには、右側のスライド部２２のスライド本体２２ａに設けられたねじ穴２２ｃがパイプ部２０の右側の開口孔２５に対応して露出する。
【００５３】
このため、第１レバー部２３の第１軸部２３ｂのねじ部２３ｃをパイプ部２０の右側の開口孔２５からスライド本体２２ａのねじ穴２２ｃに螺入させる。このときには、第１頭部２３ａの溝部２３ｄにドライバーなどの工具を差し込んで第１頭部２３ａを回して、第１軸部２３ｂのねじ部２３ｃをスライド本体２２ａのねじ穴２２ｃに締め付ける。これにより、第１レバー部２３が右側のスライド部２２に取り付けられる。この場合にも、第１レバー部２３はバンド連結駒１４の取付孔１８における右側の開放部１８ａに配置される。
【００５４】
そして、バンド連結駒１４によって時計バンド２を腕時計ケース１のバンド取付部３に取り付ける場合には、まず、パイプ部２０内のばね部材２１のばね力に抗して第１、第２レバー部２３、２４を互いに接近する方向に移動させて、一対のスライド部２２の各突出部２２ｂをパイプ部２０内に押し込んで配置させる。このときには、第１、第２レバー部２３、２４の第１、第２軸部２３ｂ、２４ｂがパイプ部２０の両側の各開口孔２５内を移動して各開口孔２５の内端部に接近または当接させてバンド連結駒１４に設けられた一対の第１溝２６に対応する。
【００５５】
この状態で、第１、第２レバー部２３、２４を一対のスライド部２２の各軸中心を中心として回転させると、第１、第２レバー部２３、２４の第１、第２軸部２３ｂ、２４ｂがバンド連結駒１４に設けられた一対の第１溝２６内に挿入される。これにより、第１、第２レバー部２３、２４が一対の第１溝２６に一時的に保持される。このため、一対のスライド部２２の各突出部２２ｂがパイプ部２０内に押し込まれた状態を維持する。
【００５６】
そして、バンド連結駒１４の幅広部１４ａを腕時計ケース１のバンド取付部３であるケース本体１０の一対の取付突起部３ａ間に配置させて、連結部材１５の一対のスライド部２２を一対の取付突起部３ａの各固定穴３ｂに対応させる。この状態で、第１、第２レバー部２３、２４を回転させてバンド連結駒１４の一対の第１溝２６から離脱させる。すると、ばね部材２１のばね力によって一対のスライド部２２の各突出部２２ｂがパイプ部２０内から押し出されて一対の取付突起部３ａの各固定穴３ｂに挿入される。
【００５７】
これにより、時計バンド２がバンド連結駒１４によって腕時計ケース１のバンド取付部３に取り付けられる。このときには、第１、第２レバー部２３、２４の第１、第２軸部２３ｂ、２４ｂがパイプ部２０の両側の各開口孔２５内を移動して各開口孔２５の外端部に接近して、バンド連結駒１４に設けられた一対の第２溝２７にそれぞれ対応する。この状態で、第１、第２レバー部２３、２４を一対のスライド部２２の各軸中心を中心として回転させると、第１、第２レバー部２３、２４がバンド連結駒１４に設けられた一対の第２溝２７内にそれぞれ収納される。
【００５８】
このときには、第１、第２レバー部２３、２４の第１、第２軸部２３ｂ、２４ｂが一対の第２溝２７内にそれぞれ設けられた各係止突起部２７ａを乗り越えて第１、第２レバー部２３、２４が一対の第２溝２７内にそれぞれ収納される。このため、第１、第２レバー部２３、２４は、一対の第２溝２７内の各係止突起部２７ａによって一対の第２溝２７内にロックされた状態で収納される。
【００５９】
この状態で、時計バンド２がバンド連結駒１４によって腕時計ケース１のバンド取付部３に取り付けられた腕時計を腕に取り付けた場合には、第１、第２レバー部２３、２４がバンド連結駒１４に設けられた一対の第２溝２７内にそれぞれ収納されているので、第１、第２レバー部２３、２４が腕に当たることがない。このため、連結部材１５が第１、第２レバー部２３、２４を備えていても、腕時計ケース１を時計バンド２によって腕に良好に取り付けることができる。
【００６０】
一方、この時計バンド２を腕時計ケース１から取り外す場合には、第１、第２レバー部２３，２４をバンド連結駒１４の一対の第２溝２７内から各係止突起部２７ａの係合力に抗して、一対のスライド部２２の各軸中心を中心として回転させながら引き出す。これにより、第１、第２レバー部２３、２４が一対の第２溝２７内から離脱する。
【００６１】
この状態では、一対のスライド部２２がばね部材２１のばね力によって押し出される方向に付勢されているので、一対のスライド部２２の各突出部２２ｂがパイプ部２０から押し出されてバンド取付部３の一対の取付突起部３ａに設けられた各固定穴３ｂに挿入された状態を維持する。このため、バンド連結駒１４はバンド取付部３に取り付けられた状態を維持する。また、第１、第２レバー部２３、２４は、一対の第２溝２７内から離脱した位置、つまりパイプ部２０の両側に設けられた各開口孔２５の各外端部に接近した位置に配置されている。
【００６２】
そして、第１、第２レバー部２３、２４をばね部材２１のばね力に抗して互いに接近する方向に移動させると、一対のスライド部２２がばね部材２１を収縮させながらパイプ部２０内をスライドする。すると、一対のスライド部２２の各突出部２２ｂがパイプ部２０内に押し込まれて一対の取付突起部３ａに設けられた各固定穴３ｂ内から抜き出される。これにより、バンド連結駒１４がバンド取付部３から離脱可能な状態になる。
【００６３】
このときには、第１、第２レバー部２３、２４の第１、第２軸部２３ｂ、２４ｂがパイプ部２０の両側の各開口孔２５内を移動して各開口孔２５の内端部に接近または当接し、バンド連結駒１４に設けられた一対の第１溝２６に対応する。このため、第１、第２レバー部２３、２４を一対のスライド部２２の各軸中心を中心として回転させると、第１、第２レバー部２３、２４の第１、第２軸部２３ｂ、２４ｂがバンド連結駒１４に設けられた一対の第１溝２６内にそれぞれ挿入される。
【００６４】
このため、第１、第２レバー部２３、２４が一対の第１溝２６に一時的に保持されるので、一対のスライド部２２の各突出部２２ｂがパイプ部２０内に押し込まれた状態を維持する。この状態で、バンド連結駒１４をバンド取付部３の一対の取付突起部３ａ間から取り外す。これにより、時計バンド２が腕時計ケース１から容易に取り外せる。
【００６５】
このように、この腕時計の時計バンド２によれば、バンド本体１３の端部に取り付けられて取付孔１８が設けられたバンド連結駒１４と、取付孔１８に挿入されたパイプ部２０内をスライドする一対のスライド部２２が第１、第２レバー部２３、２４を備えてパイプ部２０の両側端部から出没可能に突出して腕時計ケース１のバンド取付部３に取り付けられる連結部材１５と、を備え、バンド連結駒１４には、第１、第２レバー部２３、２４を予め定められた第１、第２位置に係脱可能に保持する第１、第２溝２６、２７が設けられていることにより、簡単な構造で、取付作業性が良く、且つ不用意に脱落しないようにすることができる。
【００６６】
すなわち、この腕時計の時計バンド２では、バンド連結駒１４に第１、第２溝２６、２７が設けられているので、第１、第２レバー部２３、２４を第１、第２溝２６、２７のいずれかに保持させることができる。このため、一対のスライド部２２がパイプ部２０内をスライド可能に配置されていても、これら予め定められた第１、第２位置のいずれかに保持させることができるので、構造が簡単で、取付作業性が良いだけでなく、時計バンド２が腕時計ケース１から不用意に脱落しないようにすることができる。
【００６７】
この場合、この腕時計の時計バンド２では、連結部材１５のパイプ部２０に、第１、第２レバー部２３、２４が移動可能に挿入する各開口孔２５がそれぞれ設けられているので、パイプ部２０の内部において一対のスライド部２２を第１、第２レバー部２３、２４によって良好にスライドさせることができ、これにより一対のスライド部２２の各突出部２２ｂをパイプ部２０内から確実に出没させることができる。
【００６８】
また、この腕時計の時計バンド２では、バンド連結駒１４の取付孔１８における一対のスライド部２２に対応する両端部側に、第１、第２レバー部２３、２４が移動可能に配置される各開放部１８ａがパイプ部２０の各開口孔２５にそれぞれ対応して設けられているので、取付孔１８内にパイプ部２０が設けられていても、第１、第２レバー部２３、２４を取付孔１８の開放部１８ａによって取付孔１８の軸方向にスライドさせることができると共に、パイプ部２０の軸中心を中心として第１、第２レバー部２３、２４を回転させて一対の第１、第２溝２６，２７のいずれかに保持させることができる。
【００６９】
また、この腕時計の時計バンド２では、第１、第２溝２６、２７のうち、一対の第１溝２６は、一対のスライド部２２の各外端部である各突出部２２ｂがパイプ部２０の内部にそれぞれ押し込まれたときに、第１、第２レバー部２３、２４が一対のスライド部２２を中心に回転してそれぞれ挿入されることにより、第１、第２レバー部２３、２４を係脱可能に保持するので、一対のスライド部２２を予め定められた第１位置、つまり一対のスライド部２２の各突出部２２ｂがパイプ部２０の内部にそれぞれ押し込まれた位置に保持させることができる。
【００７０】
また、これら一対の第１溝２６は、第１、第２レバー部２３、２４が挿入された際に、第１、第２レバー部２３、２４の少なくとも一部である第１、第２軸部２３ｂを保持することにより、予め定められた第１位置である一対のスライド部２２の各突出部２２ｂがパイプ部２０の内部にそれぞれ押し込まれたに位置に一対のスライド部２２を一時的に保持させることができ、且つ第１、第２レバー部２３、２４を一対の第１溝２６から簡単に離脱させて、一対の第１溝２６に対する第１、第２レバー部２３、２４の保持をそれぞれ容易に解除することができる。
【００７１】
また、この腕時計の時計バンド２における一対の第２溝２７は、一対のスライド部２２の外端部である各突出部２２ｂがパイプ部２０の内部から押し出されたときに、第１、第２レバー部２３、２４が一対のスライド部２２を中心に回転して収納されることにより、第１、第２レバー部２３、２４を係脱可能に保持するので、一対のスライド部２２を予め定められた第２位置、つまり一対のスライド部２２の各突出部２２ｂがそれぞれパイプ部２０の内部から押し出された位置に確実に保持させることができる。これにより、パイプ部２０の内部から押し出された一対のスライド部２２の各突出部２２ｂによって、バンド本体１３を腕時計ケース１のバンド取付部３に確実に取り付けることができる。
【００７２】
すなわち、一対の第２溝２７は、第１、第２レバー部２３、２４が収納された際に、第１、第２レバー部２３、２４が露出する状態で、第１、第２レバー部２３、２４の各全体を収納して保持することにより、予め定められた第２位置である一対のスライド部２２の各突出部２２ｂがパイプ部２０の内部から押し出された位置に一対のスライド部２２を良好に収納して保持させることができる。このため、腕に取り付けた状態のときに、一対の第２溝２７内に第１、第２レバー部２３、２４が収納されているので、第１、第２レバー部２３、２４が腕に当接して食い込むことがないため、腕時計を時計バンド２で腕に良好に取り付けて使用することができる。
【００７３】
この場合、一対の第２溝２７は、第１、第２レバー部２３、２４がそれぞれ収納された際に、第１、第２レバー部２３、２４をそれぞれ係脱可能に係止する一対の係止突起部２７ａを備えていることにより、第１、第２レバー部２３、２４を一対の第２溝２７に収納する際に、第１、第２レバー部２３、２４が一対の係止突起部２７ａをそれぞれ乗り越えることにより、第１、第２レバー部２３、２４を一対の第２溝２７内に確実に且つ良好に係止させることができ、これにより第１、第２レバー部２３、２４が一対の第２溝２７内から不用意に離脱するのを確実に防ぐことができる。
【００７４】
なお、上述した実施形態では、一対の第２溝２７内に半球形状の一対の係止突起部２７ａを設けた場合について述べたが、この発明はこれに限らず、例えば図１０（ａ）に示す第１変形例のように、取付孔１８側が急な傾斜で、取付孔１８から離れる奥側が緩やかな斜面に形成された山形形状の一対の係止突起部２７ｂを設けた構造であっても良い。
【００７５】
また、上述した実施形態では、第２溝２７内に一対の係止突起部２７ａを設け、上述した第１変形例では、第２溝２７内に一対の係止突起部２７ｂを設けた場合について述べたが、これに限らず、係止突起部２７ａ、係止突起部２７ｂは一対でなく、第２溝２７内のバンド取付部３の取付突起部３ａ側の片側面のみに設けた構造であっても良い。
【００７６】
この場合でも、連結部材１５のパイプ部２０内の一対のスライド部２２がばね部材２１のばね力によって押し出される方向に付勢されているので、第１、第２レバー部２３、２４の第１、第２軸部２３ｂ、２４ｂが、係止突起部２７ａ、係止突起部２７ｂを乗り越えて、第２溝２７内に係脱可能に係止することができる。さらに、係止突起部２７ａ、係止突起部２７ｂを、第１溝２６内にも設けても良い。この場合も同様に、一対でなくても良く、第１溝２６内のバンド取付部３の取付突起部３ａ側の片側面のみに設けた構造であっても良い。
【００７７】
また、上述した実施形態では、一対の第２溝２７が第１、第２レバー部２３、２４の形状とほぼ同じ形状に形成されている場合について述べたが、この発明はこれに限らず、例えば図１０（ｂ）に示す第２変形例のように、第１、第２レバー部２３、２４の各第２頭部２３ａ、２４ａに対する一対の第２溝２７の外周にすり鉢形状のテーパ部２７ｃを形成して、第１、第２レバー部２３、２４を一対の第２溝２７内から引き出し易い構造にしても良い。
【００７８】
また、上述した実施形態では、パイプ部２０内の両側に設けられた一対のスライド部２２にそれぞれ第１、第２レバー部２３、２４を設け、且つパイプ部２０の両側に位置するバンド連結駒１４の箇所に第１、第２レバー部２３、２４を保持する一対の第１、第２溝２６、２７を設けた場合について述べたが、この発明はこれに限らず、パイプ部２０内の両側に設けられた一対のスライド部２２の一方のみに第１、第２レバー部２３、２４のいずれかを設け、且つパイプ部２０の両側に位置するバンド連結駒１４の一方の箇所に第１、第２溝２６、２７のみを設けた構成であっても良い。
【００７９】
また、上述した実施形態およびその変形例では、バンド連結駒１４に第１、第２溝２６、２７の両方を設けた場合について述べたが、この発明はこれに限らず、例えば第１、第２溝２６、２７のいずれか一方のみを設けた構造であっても良い。
【００８０】
また、上述した実施形態では、時計バンド２は、バンド連結駒１４とバンド本体１３が別部材で、バンド連結駒１４がピン部材１６によってバンド本体１３の端部に取り付けられる場合について述べたが、この発明はこれに限らず、バンド連結駒１４とバンド本体１３の端部が成形などによって一体に形成されていても良い。
【００８１】
さらに、上述した実施形態およびその各変形例では、腕時計に適用した場合について述べたが、この発明は必ずしも腕時計である必要はなく、例えば洋服、鞄、バッグなどのバンドにも適用することができる。
【００８２】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８３】
（付記）
請求項１に記載の発明は、バンド本体と、前記バンド本体の端部に取り付けられて取付孔が設けられたバンド連結部と、前記取付孔に挿入された筒状部内をスライドするスライド部がレバー部を備えて前記筒状部の端部から出没可能に突出してケースに取り付けられる連結部材と、を備え、前記バンド連結部には、前記レバー部を係脱可能に保持する保持溝が設けられていることを特徴とするバンドである。
【００８４】
請求項２に記載の発明は、請求項１に記載のバンドにおいて、前記保持溝は、前記スライド部の外端部が前記筒状部の内部に押し込まれたときに、前記レバー部が前記スライド部を中心に回転して挿入されることにより、前記レバー部を係脱可能に保持することを特徴とするバンドである。
【００８５】
請求項３に記載の発明は、請求項２に記載のバンドにおいて、前記保持溝は、前記レバー部が挿入された際に、前記レバー部の少なくとも一部を保持することを特徴とするバンドである。
【００８６】
請求項４に記載の発明は、請求項１に記載のバンドにおいて、前記保持溝は、前記スライド部の外端部が前記筒状部の内部から押し出されたときに、前記レバー部が前記スライド部を中心に回転して収納されることにより、前記レバー部を係脱可能に保持することを特徴とするバンドである。
【００８７】
請求項５に記載の発明は、請求項４に記載のバンドにおいて、前記保持溝は、前記レバー部が収納された際に、前記レバー部が露出する状態で、前記レバー部の全体を収納して保持することを特徴とするバンドである。
【００８８】
請求項６に記載の発明は、請求項４または請求項５に記載のバンドにおいて、前記保持溝は、前記レバー部が収納された際に、前記レバー部を係脱可能に係止する係止突起部を備えていることを特徴とするバンドである。
【００８９】
請求項７に記載の発明は、請求項１に記載のバンドにおいて、前記保持溝は、前記スライド部の外端部が前記筒状部の内部に押し込まれたときに前記レバー部を保持する第１溝と、前記スライド部の外端部が前記筒状部の内部から押し出されたときに前記レバー部を収納して保持する第２溝と、を備えていることを特徴とするバンドである。
【００９０】
請求項８に記載の発明は、請求項１〜請求項７のいずれかに記載のバンドにおいて、前記連結部材は、前記筒状部の両側に前記スライド部がそれぞれ設けられ、前記スライド部それぞれに前記レバー部が設けられており、前記バンド連結部は、前記保持溝が前記連結部材の前記筒状部の両側に対応してそれぞれ設けられていることを特徴とするバンドである。
【００９１】
請求項９に記載の発明は、請求項１〜請求項８のいずれかに記載されたバンドを備えていることを特徴とする時計である。
【符号の説明】
【００９２】
１  腕時計ケース
２  時計バンド
３  バンド取付部
３ａ  取付突起部
３ｂ  固定穴
１０  ケース本体
１３  バンド本体
１４  バンド連結駒
１４ａ  幅広部
１４ｂ  幅狭部
１５  連結部材
１６  ピン部材
１７  ピン挿入孔
１８  取付孔
１８ａ  開放部
２０  パイプ部
２０ａ  抜止め部
２１  ばね部材
２２  スライド部
２２ａ  スライド本体
２２ｂ  突出部
２３、２４  第１、第２レバー部
２３ａ、２４ａ  第１、第２頭部
２３ｂ、２４ｂ  第１、第２軸部
２５  開口孔
２６、２７  第１、第２溝
２７ａ、２７ｂ  係止突起部
【図１】
2020168218.tif 000003
【図２】
2020168218.tif 000004
【図３】
2020168218.tif 000005
【図４】
2020168218.tif 000006
【図５】
2020168218.tif 000007
【図６】
2020168218.tif 000008
【図７】
2020168218.tif 000009
【図８】
2020168218.tif 000010
【図９】
2020168218.tif 000011
【図１０】
2020168218.tif 000012